(57)【要約】【課題】測光センサの制御を迅速に行って、連続撮影時の撮影速度を上げることの可能なカメラを提供することである。【解決手段】撮影に先立ち、フラッシュユニット１３による予備発光を行い、上記被写体からの反射光から被写体の輝度を測光回路５１内の測光センサにより測光し、撮影時の照明光量を決定する。一方、カメラから被写体までの距離をＡＦセンサユニット３６で測定し、その測定結果に基づいてＢμｃｏｍ５０にて上記被写体が移動したか否かを判定する。そして、カメラ操作スイッチ５９内のレリーズスイッチを押して連写モードを設定した場合に、上記被写体までの距離のデータと直前の撮影での距離のデータとを比較して、上記被写体が移動したと判定した場合は、上記予備発光による調光は行わずに直前の撮影と同じ光量で調光する。【選択図】      図１
2006106201.tif 000002
【特許請求の範囲】
【請求項１】
カメラの撮影動作を行うレリーズスイッチと、
上記レリーズスイッチが押されている間、連続して撮影を行う連続撮影モードを設定するモード設定手段と、
被写体を照明する照明手段と、
上記被写体の輝度を測光する測光手段と、
撮影に先立ち、上記照明手段の発光を行い、上記被写体からの反射光により撮影時の照明光量を決定する調光手段と、
カメラから被写体までの距離を測定する測距手段と、
上記測距手段で測定された結果に基づいて上記被写体が移動したとみなすか否かを判定する判定手段と、
を具備し、
上記判定手段は、上記モード設定手段で上記連続撮影モードが設定された場合に、上記測距手段により測定された上記被写体までの距離のデータと、直前の撮影での距離のデータとを比較して、上記被写体が移動したとみなすか否かを判定し、
上記調光手段は、上記判定手段で上記被写体が移動したとみなす判定がなされた場合は、撮影に先立つ小光量の発光による調光を行わないで直前の撮影に先立つ発光に於ける反射光量に基づいて調光することを特徴とするカメラ。
【請求項２】
連写速度設定手段を更に具備し、
上記調光手段は、上記設定された連写速度が所定速度より遅い場合は、撮影に先立つ照明の発光による調光を撮影毎に行い、上記設定された連写速度が上記所定速度より速い場合は、撮影に先立つ照明発光による調光は被写体との距離が変化しなければ行わないことを特徴とする請求項１に記載のカメラ。
【請求項３】
被写体が動いたかどうかを判定する手段とは、直前の撮影時の測距データと、今回の測距データの演算から判定することを特徴とする請求項１に記載のカメラ。
【請求項４】
上記照明手段は、フラッシュで構成されることを特徴とする請求項１に記載のカメラ。
【請求項５】
撮影を実行するための動作を開始させる操作手段と、
上記操作手段が操作されている間、連続して撮影を行う連続撮影モードを設定するモード設定手段と、
被写体を照明する照明手段と、
被写体の輝度を測光する測光手段と、
撮影に先立って上記照明手段による照明の予備発光を行い、上記被写体からの反射光により、撮影時の照明光量を決定する調光手段と、
上記被写体の像を撮像する撮像素子と、
カメラから被写体までの距離を測定して上記被写体までの距離データを得る測距手段と、
上記測距手段で得られた距離データと、直前の撮影での距離データとを比較する比較手段と、
上記比較手段で比較された結果に基づいて上記被写体が移動しているか否かを判定する判定手段と、
上記モード設定手段で連続撮影モードに設定されている場合に、上記判定手段で上記被写体が移動していないと判定された場合には、上記調光手段による予備発光を行わずに直前の撮影に先立つ発光に於ける反射光量に基づいて調光するように制御する制御手段と、
を具備することを特徴とするカメラ。
【請求項６】
上記連続撮影モードの連続撮影速度を設定する連写速度設定手段を更に具備し、
上記制御手段は、上記連写速度設定手段で設定された連続撮影速度が、所定速度より遅い場合は撮影に先立つ照明の予備発光による調光を撮影毎に行い、所定速度より速い場合は上記被写体との距離が変化した場合にのみ撮影に先立つ照明の予備発光による調光を行うように制御することを特徴とする請求項５に記載のカメラ。
【請求項７】
上記判定手段は、直前の撮影時の測距データと今回の測距データとの演算結果に従って上記被写体が移動したか否かを判定することを特徴とする請求項５に記載のカメラ。
【請求項８】
上記照明手段は、閃光発光を行うフラッシュで構成されることを特徴とする請求項５に記載のカメラ。
【発明の詳細な説明】
【技術分野】
【０００１】
本発明は、連続撮影可能な機能を有するデジタルカメラに関し、より詳細には、連続撮影の速度を改善したデジタルカメラに関するものである。
【背景技術】
【０００２】
デジタルカメラに於いては、撮像素子から出力される映像信号に基づいて測光情報を得るように構成されている。しかしながら、撮像素子の蓄積時間が一因となって、高速の連続撮影（連写）を達成することは困難であった。
【０００３】
このため、撮影中乃至撮影後の一定期間、測光系及び測距系の動作を禁止するようにした技術が知られている（例えば、特許文献１参照）。
【０００４】
また、連続撮影時に於いて、初回のレリーズ前には開放測光を行い、その後は絞り込み測光に切り換える技術が知られている（例えば、特許文献２参照）。
【０００５】
更に、蓄積型測光センサに於いて、連写モードでは測光パラメータを変更する技術が知られている（例えば、特許文献３参照）。
【特許文献１】特開昭５８−１３２７３５号公報
【特許文献２】特開昭５８−１１１０２２号公報
【特許文献３】特開平１０−１７０９７５号公報
【発明の開示】
【発明が解決しようとする課題】
【０００６】
しかしながら、上記特許文献１に記載の技術では、撮影中乃至撮影後の一定時間、測光系及び測距系の動作を禁止して連写速度を上げることは、連写中被写体の輝度が変化しても露出を変化させないことから、長い時間連写を続けるほど、適正露光から外れていくという課題を有している。
【０００７】
また、上記特許文献２に記載のものは、絞りの機構系の動作時間を減らして撮影間隔を短くするのが狙いであるが、絞り込み測光では、測光センサに届く光が少なくなり、低輝度側の測光が不利であり、測光可能範囲が減る方向である。
【０００８】
更に、上記特許文献３に記載の技術は、積分型センサのみの対応であり、非積分型センサでは用いることができないということと、むやみなゲイン増加はＳ／Ｎが悪くなるという課題を有している。
【０００９】
したがって本発明は、上記実情に鑑みてなされたものであり、測光センサの制御を迅速に行って、連続撮影時の撮影速度を上げることの可能なカメラを提供することを目的とする。
【課題を解決するための手段】
【００１０】
すなわち、請求項１に記載の発明は、カメラの撮影動作を行うレリーズスイッチと、
上記レリーズスイッチが押されている間、連続して撮影を行う連続撮影モードを設定するモード設定手段と、被写体を照明する照明手段と、上記被写体の輝度を測光する測光手段と、撮影に先立ち、上記照明手段の発光を行い、上記被写体からの反射光により撮影時の照明光量を決定する調光手段と、カメラから被写体までの距離を測定する測距手段と、上記測距手段で測定された結果に基づいて上記被写体が移動したとみなすか否かを判定する判定手段と、を具備し、上記判定手段は、上記モード設定手段で上記連続撮影モードが設定された場合に、上記測距手段により測定された上記被写体までの距離のデータと、直前の撮影での距離のデータとを比較して、上記被写体が移動したとみなすか否かを判定し、上記調光手段は、上記判定手段で上記被写体が移動したとみなす判定がなされた場合は、撮影に先立つ小光量の発光による調光を行わないで直前の撮影に先立つ発光に於ける反射光量に基づいて調光することを特徴とする。
【００１１】
請求項２に記載の発明は、請求項１に記載の発明に於いて、連写速度設定手段を更に具備し、上記調光手段は、上記設定された連写速度が所定速度より遅い場合は、撮影に先立つ照明の発光による調光を撮影毎に行い、上記設定された連写速度が上記所定速度より速い場合は、撮影に先立つ照明発光による調光は被写体との距離が変化しなければ行わないことを特徴とする。
【００１２】
請求項３に記載の発明は、請求項１に記載の発明に於いて、被写体が動いたかどうかを判定する手段とは、直前の撮影時の測距データと、今回の測距データの演算から判定することを特徴とする。
【００１３】
請求項４に記載の発明は、請求項１に記載の発明に於いて、上記照明手段は、フラッシュで構成されることを特徴とする。
【００１４】
請求項５に記載の発明は、撮影を実行するための動作を開始させる操作手段と、上記操作手段が操作されている間、連続して撮影を行う連続撮影モードを設定するモード設定手段と、被写体を照明する照明手段と、被写体の輝度を測光する測光手段と、撮影に先立って上記照明手段による照明の予備発光を行い、上記被写体からの反射光により、撮影時の照明光量を決定する調光手段と、上記被写体の像を撮像する撮像素子と、カメラから被写体までの距離を測定して上記被写体までの距離データを得る測距手段と、上記測距手段で得られた距離データと、直前の撮影での距離データとを比較する比較手段と、上記比較手段で比較された結果に基づいて上記被写体が移動しているか否かを判定する判定手段と、上記モード設定手段で連続撮影モードに設定されている場合に、上記判定手段で上記被写体が移動していないと判定された場合には、上記調光手段による予備発光を行わずに直前の撮影に先立つ発光に於ける反射光量に基づいて調光するように制御する制御手段と、を具備することを特徴とする。
【００１５】
請求項６に記載の発明は、請求項５に記載の発明に於いて、上記連続撮影モードの連続撮影速度を設定する連写速度設定手段を更に具備し、上記制御手段は、上記連写速度設定手段で設定された連続撮影速度が、所定速度より遅い場合は撮影に先立つ照明の予備発光による調光を撮影毎に行い、所定速度より速い場合は上記被写体との距離が変化した場合にのみ撮影に先立つ照明の予備発光による調光を行うように制御することを特徴とする。
【００１６】
請求項７に記載の発明は、請求項５に記載の発明に於いて、上記判定手段は、直前の撮影時の測距データと今回の測距データとの演算結果に従って上記被写体が移動したか否かを判定することを特徴とする。
【００１７】
請求項８に記載の発明は、請求項５に記載の発明に於いて、上記照明手段は、閃光発光を行うフラッシュで構成されることを特徴とする。
【発明の効果】
【００１８】
本発明によれば、測光センサの制御を迅速に行って、連続撮影時の撮影速度を上げることの可能なカメラを提供することができる。
【発明を実施するための最良の形態】
【００１９】
以下、図面を参照して、本発明の実施形態を説明する。
【００２０】
図１は、本発明の一実施形態に係るデジタル一眼レフカメラの電気系のシステム構成を示すブロック図である。
【００２１】
図１に於いて、このカメラシステムは、ボディユニット１０と、アクセサリ装置として、例えば交換可能なレンズユニット（すなわちレンズ鏡筒）１１と、通信コネクタ１６を介して撮影した画像データを記録しておく記録メディア１２と、フラッシュ用通信コネクタ１７を介して外付けのフラッシュユニット１３とを有して構成されている。
【００２２】
上記レンズユニット１１は、上記ボディユニット１０の前面に設けられた、図示されないレンズマウントを介して着脱自在に装着可能である。そして、上記レンズユニット１１は、撮影レンズ２１ａ及び２１ｂと、絞り２２と、レンズ駆動機構２３と、絞り駆動機構２４と、レンズ制御用マイクロコンピュータ（以下、Ｌμｃｏｍと略記する）２５とから構成されている。
【００２３】
上記撮影レンズ２１ａ及び２１ｂは、レンズ駆動機構２３内に存在する図示されないＤＣモータによって、光軸方向に駆動される。絞り２２は、絞り駆動機構２４内に存在する図示されないステッピングモータによって駆動される。また、Ｌμｃｏｍ２５は、上記レンズ駆動機構２３や絞り駆動機構２４等、レンズユニット１１内の各部を駆動制御する。このＬμｃｏｍ２５は、通信コネクタ１５を介して、後述するボディ制御用マイクロコンピュータ５０と電気的に接続がなされ、該ボディ制御用マイクロコンピュータ５０の指令に従って制御される。
【００２４】
一方、ボディユニット１０は、以下のように構成されている。
【００２５】
レンズユニット１１内の撮影レンズ２１ａ及び２１ｂ、絞り２２を介して入射される図示されない被写体からの光束は、クイックリターンミラー３０で反射されて、フォーカシングスクリーン３１、ペンタプリズム３２を介して接眼レンズ３３に至る。
【００２６】
上記クイックリターンミラー３０の中央部はハーフミラーになっており、該クイックリターンミラー３０がダウン（図示の位置）した際に一部の光束が透過する。そして、この透過した光束は、クイックリターンミラー３０に設置されたサブミラー３５で反射され、自動測距を行うためのＡＦセンサユニット３６に導かれる。尚、上記クイックリターンミラー３０のアップ時には、サブミラー３５は折り畳まれるようになっている。
【００２７】
上記クイックリターンミラー３０の後方には、光軸上のフォーカルプレーン式のシャッタユニット４１と、光学系を通過した被写体像を光電変換するための撮像素子（ＣＣＤ）４３を収容した撮像ユニット４２とを備えた撮像モジュール４０が設けられている。図示されないが、クイックリターンミラー３０が光路より退避した場合、撮影レンズ２１ａ及び２１ｂを通った光束は、撮像モジュール４０内の撮像素子４３に結像される。
【００２８】
このボディユニット１０は、また、上記撮像モジュール４０内の撮像素子４３に接続された撮像素子インターフェイス回路４５と、記憶領域として設けられたＳＤＲＡＭ４７と、液晶モニタ４８及び上記通信コネクタ１６を介して記録メディア１２とが、画像処理を行うための画像処理コントローラ４６に接続されている。これらは、電子撮像機能と共に電子記録表示機能を提供できるように構成されている。
【００２９】
上記記録メディア１２は、各種のメモリカードや外付けのハードディスクドライブ（ＨＤＤ）等の外部記録媒体であり、通信コネクタ１６を介してカメラのボディユニット１０と通信可能、且つ交換可能に装着される。
【００３０】
上記画像処理コントローラ４６は、通信コネクタ１５と、測光回路５１と、ミラー駆動機構５２と、ＡＦセンサ駆動回路５３と、シャッタ駆動制御回路５４と、不揮発性メモリ（ＥＥＰＲＯＭ）５７等と共に、このボディユニット１０内の各部を制御するためのボディ制御用マイクロコンピュータ（以下、Ｂμｃｏｍと略記する）５０に接続されている。このＢμｃｏｍ５０は、連写時の撮影間隔を計測する図示されないタイマを有しているもので、カメラの全体の動作を制御する制御手段の他、計数手段、モード設定手段、検出手段、判定手段、演算手段等の機能を有している。
【００３１】
上記Ｂμｃｏｍ５０には、当該カメラの動作状態を表示出力によって撮影者へ告知するための動作表示用ＬＣＤ５８と、カメラ操作スイッチ（ＳＷ）５９と、電源回路６０を介して電池６１とが接続されている。
【００３２】
尚、上記Ｂμｃｏｍ５０とＬμｃｏｍ２５とは、レンズユニット１１の装着時に於いて、通信コネクタ１５を介して通信可能に電気的接続がなされる。そして、デジタルカメラとしてＬμｃｏｍ２５がＢμｃｏｍ５０に従属的に協働しながら稼動するようになっている。
【００３３】
上記測光回路５１は、上記ペンタプリズム３２からの光束に基づいて測光処理する回路である。この測光回路５１内に、被写界を複数に分割して被写体輝度を測定する多分割測光センサを有している。上記ミラー駆動機構５２はクイックリターンミラー３０を駆動制御する機構であり、ＡＦセンサ駆動回路５３は上記ＡＦセンサユニット３６を駆動制御するための回路である。また、シャッタ駆動制御回路５４は、上記シャッタユニット４１の図示されない先幕と後幕の動きを制御すると共に、Ｂμｃｏｍ５０との間でシャッタの開閉動作を制御する信号とフラッシュと同調する信号の授受を行う。
【００３４】
不揮発性メモリ５７は、その他の記憶領域として、カメラ制御に必要な所定の制御パラメータを記憶する記憶手段であり、Ｂμｃｏｍ５０からアクセス可能に設けられている。
【００３５】
動作表示用ＬＣＤ５８は、当該カメラの動作状態を表示出力によって撮影者へ告知するためのものである。上記カメラ操作スイッチ５９は、例えば撮影動作の実行を指示するレリーズスイッチ、撮影モードを連写モード、通常撮影モード等に切り替えるモード変更スイッチ及びパワースイッチ等、当該カメラを操作するために必要な操作釦（撮影操作手段）を含むスイッチ群で構成される。
【００３６】
更に、電源回路６０は、電源としての電池６１の電圧ＶE を、当該カメラシステムの各回路ユニットが必要とする電圧ＶC に変換して供給するために設けられている。
【００３７】
フラッシュユニット１３は、フラッシュ制御用マイクロコンピュータ６５と、閃光発光部６６と、発光制御回路６７及び電池６８とから成っている。そして、このフラッシュユニット１３は、フラッシュ用通信コネクタ１７を介して、ボディユニット１０と通信可能に装着可能である。これらの発光信号は、発光モードに応じて出力される。
【００３８】
このように構成されたデジタルカメラの各部は、次のように稼動する。
【００３９】
先ず、画像処理コントローラ４６により、Ｂμｃｏｍ５０の指令に従って撮像素子インターフェイス回路４５が制御されて、撮像モジュール４０から画像データが取り込まれる。この画像データは、一時保管用メモリであるＳＤＲＡＭ４７に取り込まれる。このＳＤＲＡＭ４７は、画像データが変換される際のワークエリア等に使用される。また、この画像データは、ＪＰＥＧデータに変換された後には、記録メディア１２に保管されるように設定されている。
【００４０】
ミラー駆動機構５２は、上述したように、クイックリターンミラー３０をアップ（ＵＰ）位置とダウン（ＤＯＷＮ）位置へ駆動するための機構である。ミラー駆動機構５２によってクイックリターンミラー３０がダウン位置にある時、撮影レンズ２１ａ及び２１ｂからの光束は、ＡＦセンサユニット３６側とペンタプリズム３２側へと分割されて導かれる。
【００４１】
ＡＦセンサユニット３６内のＡＦセンサからの出力は、ＡＦセンサ駆動回路５３を介してＢμｃｏｍ５０へ送信されて、周知の測距処理が行われる。
【００４２】
一方、ペンタプリズム３２に隣接する接眼レンズ３３からは、撮影者が被写体を目視できる。また、上記ペンタプリズム３２を通過した光束の一部は、測光回路５１内のホトセンサ（図示せず）へ導かれ、ここで検知された光量に基づいて周知の測光処理が行われる。
【００４３】
シャッタ駆動制御回路５４では、Ｂμｃｏｍ５０からシャッタを駆動制御するための信号が受取られると、その信号に基づいてシャッタユニット４１が制御される。シャッタ駆動制御回路５４では、Ｂμｃｏｍ５０からシャッタを駆動制御するための信号が受取られると、その信号に基づいてシャッタユニット４１が制御される。それと共に、所定のタイミングでフラッシュ用通信コネクタ１７を介してフラッシュ制御用マイクロコンピュータ６５及び発光制御回路６７に、フラッシュを発光させるための発光信号が出力される。Ｂμｃｏｍ５０からは、上記発光信号に基づいて、通信により発光モードに応じた発光指令信号が出力される。
【００４４】
また、撮影者によって上述したカメラ操作スイッチ５９の中のモード変更スイッチが操作されて、撮影モードから画像表示モードへ切り換えられると、記録メディア１２に保管された画像データが読み出されて、液晶モニタ４８に表示可能である。記録メディア１２から読み出された画像データは、画像処理コントローラ４６に於いてビデオ信号に変換され、液晶モニタ４８にて出力表示される。
【００４５】
ここで、フラッシュユニット１３による調光について説明する。
【００４６】
一般的な調光としては、プリ発光調光制御がある。このプリ発光調光制御は、撮影に先立ってフラッシュを発光するプリ発光が行われ、このプリ発光による被写体から、撮影レンズを通過して測光センサに届く反射光の光量により、本撮影時の発光量が演算されて決定されるものである。このようなプリ発光調光制御では、被写体の状況に関わらず、毎回調光している。
【００４７】
このように、一般的なプリ発光による調光では、撮影前にフラッシュ光を発光させるので、発光エネルギーを本撮影前に消費してしまう。そのため、連続してフラッシュ撮影を行う場合、撮影前の発光、すなわちプリ発光で発光エネルギーが減ってしまうことになる。
【００４８】
次に、距離情報による調光について説明する。
【００４９】
絞り値Ｆ、発光光量を示す数値としてＧＮｏ、被写体距離をＬ１とすると、撮像素子の感度がＩＳＯ１００の場合に於いて、距離によるＧＮｏ制御は、  
ＧＮｏ＝Ｆ×Ｌ１                                              …（１）  
で求められる発光光量を得る。ここでは、プリ発光は必要ないので、発光エネルギーを効率よく撮影に用いることができる。これは、フラッシュユニット１３を被写体に向けず、天井等の壁に向けて、その反射光で被写体を照明するバウンス撮影では、調光することはできない。
【００５０】
また、撮影レンズにＮＤフィルタ等、レンズが通過する光量を低下させるフィルタを装着した場合、カメラがフィルタによる光量減少を見積もることができず調光に悪影響が出る。
【００５１】
図２は、本発明による調光制御について説明する図である。
【００５２】
本発明に於いては、連続撮影（連写）時の１回目の撮影にはプリ発光（例えば２回）が行われて、被写体の反射光から撮影時の本発光量が演算される。それと同時に、ＡＦセンサユニット３６により被写体からカメラまでの被写体距離Ｌ１が取得される。そして、フラッシュユニット１３による本発光が行われる。
【００５３】
続く２回目以降の撮影時（図２に於いて、２回目及び３回目）には、上記被写体距離Ｌ１がＢμｃｏｍ５０等により確認され、その値が変化していなければプリ発光は行われずに本発光による撮影のみが行われる。これは、上記（１）式からわかるように、被写体距離Ｌ１が変化せず、また絞り値Ｆが変化しなければ発光量は同じになるからである。したがって、連写時は被写体距離Ｌ１が変化しなければ、２回目以降はプリ発光は行われない。
【００５４】
そして、図２於いて、４回目の撮影時に被写体が移動してその被写体距離がＬ２に変化したとする。すると、１回目の撮影時と同様に、プリ発光が２回行われて被写体の反射光から撮影時の本発光量が演算される。それと同時に、変化した後の被写体距離Ｌ２が取得される。その後、本発光による撮影が行われる。
【００５５】
このように、被写体距離が変化しなければプリ発光を省略するようにしたので、連写時の撮影速度（連写速度）を上げることができる。
【００５６】
次に、図３のフローチャートを参照して、本実施形態に於いて連写モードをユーザが設定可能なカメラの撮影動作について説明する。
【００５７】
撮影シーケンスが開始されると、先ずステップＳ１に於いて、カメラ操作スイッチ５９内の撮影操作手段であるレリーズスイッチの状態が判定される。ここでは、レリーズスイッチがオンされるまで待機する。そして、レリーズスイッチが押された場合に、ステップＳ２へ移行してカメラから被写体までの距離、すなわち被写体距離が測定される。次いで、ステップＳ３にて、レンズ駆動機構２３が駆動されてレンズ駆動がなされると共に、オートフォーカスセンサユニット３６によりピント合わせが行われる。
【００５８】
ステップＳ４では、Ｂμｃｏｍ５０にて前回の被写体距離と今回の被写体距離が比較されて演算される。そして、ステップＳ５にて、現在の被写体距離がＳＤＲＡＭ４７に記憶される。
【００５９】
次いで、ステップＳ６では、フラッシュ発光がなされない定常光下での測光が測光回路５１により行われる。ステップＳ７では、撮影時の絞り値及びシャッタ秒時がＢμｃｏｍ５０にて演算される。
【００６０】
ステップＳ８に於いては、被写体距離が変化したか否かがＢμｃｏｍ５０にて判定される。ここで、被写体距離が変化した、すなわち被写体が移動したと判定された場合はステップＳ９へ移行し、被写体距離が変化しなければ後述するステップＳ１２へ移行する。
【００６１】
ここで、上記ステップＳ８にて判定される被写体移動判定方法について説明する。
【００６２】
絞り値をＦ、撮像素子４３の感度をＩｓｏ、被写体距離をＬ、被写体を適正にする発光量ＧＮｏとすると、これらの関係は以下のようになる。  
ＡＶ＝２ｌｏｇ2 （Ｆ）  
ＳＶ＝ｌｏｇ2 （Ｉｓｏ／１００）  
ＤＶ＝２・ｌｏｇ2 Ｌ  
ＧＶ＝２・ｌｏｇ2 （ＧＮｏ）  
とおくと、  
ＧＶ＝ＡＶ＋ＤＶ−ＳＶ                                        …（２）  
が、被写体が暗黒中という条件では成立する。
【００６３】
このことを考慮して、前回被写体距離をＬ１、前回絞り値をＦ１、前回発光量をＧＮｏ１とし、今回被写体距離をＬ２、今回絞り値をＦ２、今回発光量をＧＮｏ２とする。
【００６４】
すると、ＤＶ１＝２・ｌｏｇ2 （Ｌ１）及びＤＶ２＝２・ｌｏｇ2 （Ｌ２）という値を用いて、  
ΔＤＶ＝ＤＶ１−ＤＶ２                                        …（３）  
となる。その結果、−０．１＜ΔＤＶ＜０．１が成立する場合は、被写体が移動していないと判定される。ここで、±０．１のＧＶ値ずれは、経験的に撮像の絵としてわかり難い。したがって、わかり難いレベルのずれである場合は、被写体は移動していないものと判定される。
【００６５】
このような判定により被写体が移動したと判定された場合は、ステップＳ９にてフラッシュのプリ発光が行われる。次いで、ステップＳ１０にて、上記ステップＳ９でプリ発光された際の被写体からの反射光が測定される。ステップＳ１１では、この反射光の光量を基に発光量が演算される。
【００６６】
その後、ステップＳ１２にてクイックリターンミラー３０が図示されないアップ位置へ退避されると、続くステップＳ１３にて絞り２２により絞り制御が行われる。そして、ステップＳ１４に於いて、フラッシュユニット１３による本発光が行われると共にシャッタユニット４１のシャッタが開かれる。次いで、ステップＳ１５にて撮像素子４３による露光が所定時間行われる。
【００６７】
露光が行われた後、ステップＳ１６にてシャッタが閉じられると、ステップＳ１７にてクイックリターンミラー３０がダウン位置へ移動される。こうして本発光による撮影が終了すると、ステップＳ１８にて、再びレリーズスイッチの状態が判定される。ここで、レリーズスイッチが押されていると判定された場合は、連写モードが継続されているとして、上記ステップＳ２へ移行し、以降の処理動作が繰り返される。一方、上記ステップＳ１８にて、レリーズスイッチが押されていなければ、連写モードが終了したとして本シーケンスが終了する。
【００６８】
こうして、連写モードを設定可能なカメラの撮影シーケンスが行われる。
【００６９】
尚、連写モードで設定された連写速度を所定速度と比較して、この所定速度より連写速度が遅い場合はプリ発光を撮影毎に行い、上記連写速度が上記所定速度より速い場合は、被写体との距離が変化しなければプリ発光は行わないようにしてもよい。
【００７０】
（変形例１）
本発明は、上述した実施形態以外にも、撮影距離は変わらなくても絞りを変更することも可能である。
【００７１】
上述した実施形態では、撮影距離が変わらず、絞りも変わらない場合は発光量が一定であるとしていた。この変形例１では、撮影距離が変わらず撮影毎に絞りを変更するカメラで連写を行うことも可能である。
【００７２】
ここで、図４のフローチャートを参照して、連写モード時にユーザが絞り変更可能なカメラの撮影動作について説明する。
【００７３】
尚、以下に述べる図４のフローチャートの説明に於いて、ステップＳ２１〜Ｓ３１及びステップＳ３４〜４０の処理動作は、上述した図３のフローチャートに於けるステップＳ１〜Ｓ１１及びステップＳ１２〜Ｓ１８と同じであるので説明は省略する。
【００７４】
ステップＳ２８にて被写体が移動していないと判定された場合、及びステップＳ３１にて発光量演算がなされた後に、ステップＳ３２に於いて、絞り変更の有無が判定される。ここでは、絞りが変更される場合はステップＳ３３へ移行し、変更されない場合はステップＳ３３をスキップしてステップＳ３４へ移行する。但し、上記ステップＳ２８にて被写体が移動したと判定された場合は、絞りは変更されないのでステップＳ３４へ移行する。
【００７５】
ステップＳ３３では、発光量が演算される。この場合、前回発光量ＧＮｏに前回絞り値Ｆ１と今回絞り値Ｆ２との比を積算して求められる。  
ＧＮｏ２＝ＧＮｏ１・（Ｆ２／Ｆ１）                              …（４）  
このようにして求められた発光量で、撮影が行われる。この場合、上記ステップＳ２８にて被写体は移動していないと判定されているので、プリ発光は行われない。
【００７６】
（変形例２）
更に、変形例２として、感度が変化した場合についても、上述した変形例１と同様にして発光量を求めることができる。
【００７７】
例えば、感度が４倍になった場合は、ＧＮｏは１／２にすればよい。すなわち、前回の撮像素子感度をＩｓｏ１、今回の撮像素子感度をＩｓｏ２とすると、下記（５）式で求められる発光量で撮影が行われるようにすることも可能である。
【数１】
2006106201.tif 000003
【００７８】
このようにすることで、プリ発光を行う回数を減少させてエネルギー消費を抑えることができる。
【００７９】
尚、上述した変形例、変形例２のように、絞りや感度を変更する場合は、予めカメラに設定されるプログラムの切り替えによって設定されるようにしてもよい。
【００８０】
また、上述した実施形態に於いては、デジタル一眼レフカメラを例として説明したが、これに限られるものではなく、銀塩フィルムを使用するカメラにも適用可能である。
【００８１】
以上、本発明の実施形態について説明したが、本発明は上述した実施形態以外にも、本発明の要旨を逸脱しない範囲で種々の変形実施が可能である。
【図面の簡単な説明】
【００８２】
【図１】本発明の一実施形態に係るデジタル一眼レフカメラの電気系のシステム構成を示すブロック図である。
【図２】本発明による調光制御について説明する図である。
【図３】本発明の一実施形態に於いて連写モードをユーザが設定可能なカメラの撮影動作について説明するフローチャートである。
【図４】本発明の一実施形態の変形例１に於いて連写モード時にユーザが絞り変更可能なカメラの撮影動作について説明するフローチャートである。
【符号の説明】
【００８３】
１０…ボディユニット、１１…レンズユニット、１２…記録メディア、１３…フラッシュユニット、２１ａ、２１ｂ…撮影レンズ、２２…絞り、…レンズ駆動機構、２４…絞り駆動機構、２５…レンズ制御用マイクロコンピュータ（Ｌμｃｏｍ）、３０…クイックリターンミラー、３１…フォーカシングスクリーン、３２…ペンタプリズム、３３…接眼レンズ、３５…サブミラー、４０…撮像モジュール、４１…シャッタユニット、４２…撮像ユニット、４３…撮像素子（ＣＣＤ）、４５…撮像素子インターフェイス回路、４６…画像処理コントローラ、４７…ＳＤＲＡＭ、４８…液晶モニタ、５０…ボディ制御用マイクロコンピュータ（Ｂμｃｏｍ）、５１…測光回路、５２…ミラー駆動機構、５３…ＡＦセンサ駆動回路、５４…シャッタ駆動制御回路、５７…不揮発性メモリ（ＥＥＰＲＯＭ）、５８…動作表示用ＬＣＤ、５９…カメラ操作スイッチ（ＳＷ）、６０…電源回路、６１…電池。
【図１】
2006106201.tif 000004
【図２】
2006106201.tif 000005
【図３】
2006106201.tif 000006
【図４】
2006106201.tif 000007